(57)【特許請求の範囲】
【請求項１】
子供向けプレイコンテナを備える旅客機であって、前記旅客機は、航空機の装備品ならびに、通路および親子用領域を有する客室を有し、前記子供向けプレイコンテナは、
少なくとも１つの側壁と、
遊び場と、
少なくとも１つの遊び道具および保育用装備品と、を備え、
前記子供向けプレイコンテナは、折り畳まれた状態および組み立てられた状態を有するように折り畳み可能であり、
前記折り畳まれた状態において、前記子供向けプレイコンテナの大きさは、前記航空機の装備品と互換性があり、
前記折り畳まれた状態から、前記少なくとも１つの側壁を外側に広げると前記組み立てられた状態となり、
前記遊び場を形成するために、前記少なくとも１つの側壁が外側に広げられ、
前記少なくとも１つの側壁が外側に広げられたときに、前記遊び道具および前記保育用装備品の少なくとも１つは、前記子供向けプレイコンテナの内側に配置され、かつ、使用可能であり、
前記子供向けプレイコンテナは、前記親子用領域において前記航空機および前記航空機の装備品の少なくとも１つに取り付けられるのに適しており、
前記組み立てられた状態において、前記子供向けプレイコンテナは、前記通路内に少なくとも部分的に配置され、
前記子供向けプレイコンテナが前記折り畳まれた状態において、前記通路は、通行および脱出のルートとして使用可能である、子供向けプレイコンテナを備える旅客機。
【請求項２】
前記少なくとも１つの側壁は、外側に広げられたときに床面緩衝性を形成する折り畳み可能要素を有する、請求項１に記載の子供向けプレイコンテナを備える旅客機。
【請求項３】
前記少なくとも１つの側壁および／または前記折り畳み可能要素は、縁部が取り付けられる補助要素を含み、前記要素の各々は、布テープで互いに接続される、請求項１または請求項２に記載の子供向けプレイコンテナを備える旅客機。
【請求項４】
前記少なくとも１つの側壁は耐久性のある材質で作られる外壁部を含み、前記外壁部は、弾性材で作られプレイマットの役目を果たすのに適する内側部を有する、請求項１から３のいずれか１項に記載の子供向けプレイコンテナを備える旅客機。
【請求項５】
前記少なくとも１つの側壁および／または少なくとも１つの前記折り畳み可能要素および／または少なくとも１つの前記補助要素は、垂直に伸びる側面片を備える、請求項４に記載の子供向けプレイコンテナを備える旅客機。
【請求項６】
前記コンテナの構造構成は、４つの側柱と、覆い要素と、床要素と、折り畳み式の側壁と、オプションで選択可能な後壁と、を含んで構成される、請求項１から５のいずれか１項に記載の子供向けプレイコンテナを備える旅客機。
【請求項７】
前記子供向けプレイコンテナは、方形状の上面図とは別に、他の形状の上面図も適応される、請求項１から６のいずれか１項に記載の子供向けプレイコンテナを備える旅客機。
【請求項８】
前記旅客機の客室において、座席と、座席間廊下と、航空機の出入口ドアへ通じる通路と、さらに、航空機装備品と、を備え、
前記通路に近い最後列の座席の後ろに配置される前記子供向けプレイコンテナは、飛行中には、前記通路の自由に使える領域に遊び場を形成し、離陸および着陸の間畳んで片付けられるときには、最小のスペースを必要とする、請求項１から７のいずれか１項に記載の子供向けプレイコンテナを備える旅客機。
【請求項９】
親の座席および子供の座席を有する親子用領域は、前記子供向けプレイコンテナの位置のすぐ近くに、航空機の座席構造の部分として提供される、請求項８に記載の子供向けプレイコンテナを備える旅客機。
【請求項１０】
前記親子用領域は、少なくとも１つの隔壁および遮音扉によって他の客室エリアと分離可能である、請求項８または請求項９に記載の子供向けプレイコンテナを備える旅客機。
【請求項１１】
少なくとも１つの客室乗務員用座席は、前記子供向けプレイコンテナの近くの前記通路の領域に備えられる、請求項８から１０のいずれか１項に記載の子供向けプレイコンテナを備える旅客機。
【請求項１２】
前記遊び場をモニタするために監視カメラが備えられる、請求項８から１１のいずれか１項に記載の子供向けプレイコンテナを備える旅客機。
【発明の詳細な説明】
【技術分野】
【０００１】
本発明は、子供向けプレイコンテナを備える旅客機に関する。
【背景技術】
【０００２】
旅客機において、客室の他の乗客を妨げることなく、子供を乗せておくことは、ことのほか難しい。遊んで、動き回る２〜６歳の幼児の生まれながらの本能は、今日のキャビンの従来のレイアウト限られた条件内で満たされないため、特有の問題がこれらの幼児によって引き起こされる。色鉛筆とスケッチブック、パズルブック、マンガなどを使用したり、子供用ビデオやオーディオカセットを楽しませたりして、子供達を静かに客席に座らせようとする。これは、小さな子供の行動欲求を満たさず、航空機の通路は遊び場として誤用され、そのため、他の乗客または客室乗務員の通行を妨げることになる。
【０００３】
今日の隙間なく連なって配置される座席列と、１〜２の幅の狭い縦方向の通路のキャビンレイアウトは乗客定員を最大にするが、座席の範囲外における子供に対して、活動の可能性は全く提供されない。航空会社はこの課題を熟知しており、解決を見いだそうとする第１の試みは公知である。非特許文献１には、旅客機内に現れる子供の遊び場において、考えられる解決法が記述されている。したがって、標準の貨物コンテナを変えることによって、このようなキャビンからのアクセスが提供され、キャビン階下の貨物領域において設置することができる、提案が示唆されている。ここでのアイディアは、このような特有の子供の遊び場は緊張をほぐしたり、休憩するだけでなく遊んだりするために、子供によって使用されるということである。
【０００４】
階上の客室にいる親によって子供を監視することができないのは、この課題から明らかである。子供を監視する人は、おそらく階下の貨物室にいる必要があるであろう。提案された解決法の更なる不利な点は、貨物容量が積載量のために失われることと、頭上スペースが成人にとって、かなり制限されるということである。
【非特許文献１】「ツァイトシュリフト  フュア  ゲシュタルトュング」（Ｚｅｉｔｓｃｈｒｉｆｔ  ｆｕｒ  Ｇｅｓｔａｌｔｕｎｇ）誌、１９９６年４月版、「ダス  フリーゲンデ  キンダーツィマー」（Ｄａｓ  ｆｌｉｅｇｅｎｄｅ  Ｋｉｎｄｅｒｚｉｍｍｅｒ）（Ｔｈｅ  ｆｌｙｉｎｇｐｌａｙｒｏｏｍ）の見出し下４６、４７ページ
【発明の開示】
【発明が解決しようとする課題】
【０００５】
したがって、本発明の目的は、乗客の邪魔にならずに、ある程度の行動の自由を許容する、輸送用車両に子供を乗せておく実現性を提供することである。さらに、このような子供の遊び場は、座席定員の大幅な消失を必要としないキャビンレイアウトに関して経済的であるだけでなく、容易に監視される方法で配置されなければならない。
【課題を解決するための手段】
【０００６】
本発明によれば、上記目的は、請求項１において説明したような特徴によって解決される。
【０００７】
請求項１記載の本発明の好適な実施形態によれば、航空機のドア近くの通路領域における通路部分を多目的に利用することによって、未使用領域は、旅行中、目的をもって使用される。プレイコンテナによって、子供は、静かに着席する段階後、他の乗客を妨げたり、座席間廊下の通行または客室乗務員の作業を妨げたりせずに、特有の子供の遊び場において動き回るという要求を満たすことできる。
【０００８】
本発明によれば、航空機の離陸および着陸の間の未使用のとき、コンテナを最小のサイズすることができ、それによって、コンテナの全ての必要構成要素同様、全ての遊び道具が場所をとらない方法で収容することができる。
【０００９】
本発明の更なる特徴および好適な実施形態は、請求項２〜７に記載される。請求項２および３において説明したように、プレイコンテナは、簡潔な方法によって、モジュール的に組み立てられ、利用可能な空間の大きさを満たす遊び場を柔軟に形成することができる。
【００１０】
請求項４に記載の方法に従って、固定式のプレイコンテナは、閉じた状態または折り畳まれた状態で、必要な構成要素と遊び道具用のケース状の受け口を備え、遊び場として使われるときは、遊んでいる子供に対して柔らかい緩衝材を提供する。
【００１１】
請求項５に記載の方法は、子供の遊び場を他の通路から切り離すために実施される。
【００１２】
請求の範囲６および７は、プレイコンテナの内部の構造構成のための好適な実施形態を記載する。
【００１３】
本発明による航空機の客室における子供向けプレイコンテナ構成のための更なる好適な方法および実施形態は、請求項８〜１２に記載される。
【００１４】
更なる詳細および利点は、本発明の以下の例示実施形態から、記述することができる。
【００１５】
図面は、後述する図１〜４に関して、より詳細に記載されている本発明の例示実施形態を示す。各図において、同一参照番号は、同一または対応する要素を指定するために使用される。
【発明を実施するための最良の形態】
【００１６】
以下に、個々の図の説明をする。
【００１７】
図１は、親が子供とともに収容される（所謂、親子用領域１）、幅広い機体の航空機の客室２のキャビン区分を示す。例えば、遮音扉３および隔壁４によって、客室２の区分間の視覚的および聴覚的に分けられた区域が提供される。その区域は、例えば、異なる乗客クラス区分間で設置される場合もある。例えば、遮音扉３には、カーテン、アコーディオンドアまたは引き戸を含むことができる。
【００１８】
親子用領域１においては、特に離陸中、着陸中、および、乱気流の状態での各乗客の保護のために、従来の座席配置は、各キャビンクラス区分において座席が連なっている。例えば、親の座席５は（斜線によって表される）子供用座席６によって囲まれると同時に、子を連れていない乗客は、別の客室２区分に収容される。親子用領域においては、標準の座席に、子供のサイズに従って必要とされるベビーバスケットまたは補助いすを追加することができる。モジュール的に組み立てられた子供向けプレイコンテナ７を、幅広い機体の航空機の（例えば客室の後方区分）通路８において、設置することができる。子供向けプレイコンテナ７は、中央の座席の背後に位置するのが、好ましい。
【００１９】
通行および脱出ルートとしての通路８の機能は、絶対に保証されるように、航空機が地上にあるときだけでなく、離陸および着陸の間、子供向けプレイコンテナ７は、折り畳んで片付けられる。離陸および着陸の間、客室乗務員席は、客室乗務員によって使用することができる。図１から例示されるように、巡行高度に達し、シートベルト着用サインは消されると、コンテナ７の各側面要素を組み立てることによって、通路８内で隔離された遊び場１８を形成する。トイレ１０や後部階段１１にそれぞれ通じる２本の縦方向の座席間廊下の使用には、支障がない状態を保つ。
【００２０】
親子用領域１の設備は、遊び場８１で遊んでいても、または、動き回っても、子供を個々に単純な監視をすることによって、緊密な親子のふれ合いを容易にする。特別な監督人員を必要としなくても、迅速な対応が確実になされる。従って、子供の監視は、親の座席の背もたれの平面型画面モニタに接続される、遊び場の監視カメラ１３によって、更に向上させることができる。本発明の例示実施形態によれば、子供向けプレイコンテナ７は、２つのバスルーム／トイレットユニットの空間領域を確保する。
【００２１】
モジュールの大きさは航空機２の客室の空間的な大きさに従って規定される。中央の座席数に従い、高さは約２１０ｃｍ、奥行きは約１４５ｃｍ、幅は約１４５ｃｍおよび２００ｃｍの間で変化可能である。遮音扉３および隔壁４のような隔離手段にもかかわらず、トイレ１０の出入りは、客室２の乗客のために保証することができる。
【００２２】
図２は、床に広げられる側部要素を有する、子供向けプレイコンテナ７を斜視図で示す。個々の側部要素には、内側にパッドで詰め物をして布が張られ、広げるとプレイマットを形成する。折り畳むことができる側壁７１が前面に広げられ、子供向けプレイコンテナ７を利用することができるようなる。折り畳み側壁７１が、パッドが入った折り畳み要素７２を備え、可能な限り連続した空間の遊び場を形成する。さらに、コンテナ７の中で格納される、補助要素７３は、要素７１、７２の外側のマジックファスナによって取り付けられ、遊び場を増やすことができる。
【００２３】
補助要素７３と同様に折り畳み要素７２は、必要に応じて整列配置され、キャビンレイアウトおよび遊び場の要件に応じて異なることもある。遊び場８１の外側の通路８は、通行エリアとして客室乗務員、乗客、および、親子の自由な空間であり、同様に、１つの客室乗務員席１２は利用可能の状態を保ち、監視人、客室乗務員だけでなく、個々の親によって使用される。
【００２４】
遊び場８１の領域を通路８から確保するために、側部要素７１および折り畳み要素７２は、いくつかの垂直方向に伸びる側面片７８を備える。更に、これは、這い回る乳児が遊び場８１に留まらせることを保証するのに役立つ。示される子供向けプレイコンテナ７の構造体は、４つの側柱７４、前述の折り畳み側部要素７１、後壁７５およびカバーおよび床面要素７６から成る。それによって、外のり寸法は、他のモジュール式の航空機装備品（例えばトイレ）に適合する。側柱７４は、堅固な角接合部７７によって他の常設構造部品に固定される。コンテナ７内部で、すでに述べられる補助要素７３に加えて、例えば図において示される子供の滑り台または梯子要素などのさまざまな遊び道具がある。さらにまた、ラウンジャーまたはハンモックのようなリラクセーション設備を備えることができる。
【００２５】
図３は、拡張側部要素７１、折り畳み要素７２および補助要素７３を有するプレイコンテナ７の一般的な平面図を示す。さらにまた、これが座席備品５，６に接するので、コンテナ７の３の側部要素７１は組み立てられるが、後壁だけが固定されるということが、図から例示される。それは、また、折り返された状態において側部要素７１にはめ込むため、折り畳み要素７２の大きさが指定されるということが図から例示される。さらに、必要に応じて、いかなる形状の補助要素７３を、遊び場８１の端に沿って整列配置して、そのサイズを増やすことができる。
【００２６】
図４は、折り畳み要素７２を有する折り畳み側面の要素７１の断面を示す。外壁７９は、丈夫で、抵抗力のある材質（例ＧＦＫ）から成る。実際の遊び場は緩衝材を備えるために、例えば、弾力のあるフォームの詰め物７１１および処理布面７１１で構成される。見えない外壁７９を除いて、折り畳み要素７２は、全て同様に取り付けられる。折畳み機能（図面の矢印によって表される）を保証するため、個々の要素は、布テープ７１２で装着される。このようなテープまたはマジックファスナもまた、折り畳み要素７２を折り畳み側壁７１に固定するために提供される。
【００２７】
図１〜４から例示されるとおり、本発明の例示実施形態によれば、分解されることができるかまたは離陸、着陸、または、地上にいる間いつでも、分解または折り畳むことができるコンテナを備えることができる。飛行の間、若しくは、必要に応じて、コンテナは組み立てられ、広げたりして、子供の遊び場を形成することができる。子供が遊んでいる間、手をつけたり、触ったりするコンテナの壁は、弾性材料で覆われるか、詰められることが有利である。折り畳んだり、および、コンテナを展開するときに遊び場を形成したりするために、コンテナは、互いに柔軟にまたは取り外し可能に取り付けられる複数の壁要素で構成される。
【００２８】
コンテナは、おむつ交換台、おもちゃ、適切なおもちゃ用収納領域などの、子供用設備を含むことができる。本発明の航空機用座席の構成の例示実施形態に従って、親、客室乗務員、および／または、子供に関心があるか、子供の世話を指示された、その他の人々は、コンテナの位置に近接して着席することができる。
【００２９】
コンテナの壁、底部および上部は、プラスチックなどの軽量の材質で形成される。充分な構造強度を備えるため、適切な補強材が提供されることが好ましい。コンテナは、航空機にまたは航空機の装備品に取り付けることができる。例えば、コンテナが隣接した座席のシートベルトを使用して取り付けられることができる。コンテナは、離陸および着陸に対して空席上に収容することができ、シートベルトを用いて座席に取り付けることができる。このため、座席または座席列に格納することができるように、折り畳まれたコンテナの形に合わせることができる。また、開いて、取り付けられたコンテナは、隣接した座席のシートベルトを用いて取り付けられることもできる。
【００３０】
運搬のために折り畳むことができ、「遊び場」を提供するために、広げることができる、融通性のあるキシブルコンテナまたは子供の遊び場が好適に提供されることは好都合である。運搬の間、外側の面積は比較的小さい。また、コンテナの適切な材質を使用することにより、１人だけで扱うことができる。
【００３１】
コンテナの複数の壁要素を使用することによって、例えば、前記実施例のうちの１つに記載される階段１１によって、小さな収容寸法を有する大変融通性のあるコンテナを提供することができる。
【図面の簡単な説明】
【００３２】
【図１】航空機の後部領域における客室レイアウトの上面図である。
【図２】航空機の客室内部の子供向けプレイコンテナの配置を示す。
【図３】組み立てられた個々の要素を有するプレイコンテナの基準階平面図である。
【図４】コンテナの側面要素の断面を示す。
【図１】
0004777874.tif 000002
【図２】
0004777874.tif 000003
【図３】
0004777874.tif 000004
【図４】
0004777874.tif 000005